(57)【要約】【課題】発熱をより確実に抑制することができる蓄電装置を提供する。【解決手段】二次電池１００は、ケース１０と、ケース１０内に収容された電極組立体２０と、ケース１０と電極組立体２０との間に配置された少なくとも１枚の第１金属箔１４ａ〜１４ｃと、ケース１０と第１金属箔１４ａ〜１４ｃとの間に配置された少なくとも１枚の第２金属箔１６ａ〜１６ｃと、第１金属箔１４ａと第２金属箔１６ｃとの間に配置された、吸熱反応を起こす物質５４と、を備える。電極組立体２０は、正極３０と、負極４０と、正極３０と負極４０との間に配置されたセパレータ５０とを備える。第１金属箔１４ａ〜１４ｃが負極４０と電気的に接続され、第２金属箔１６ａ〜１６ｃが正極３０と電気的に接続される。物質５４は、第１金属箔１４ａ〜１４ｃの融点及び第２金属箔１６ａ〜１６ｃの融点のうち低い方よりも低温で吸熱反応を起こす。【選択図】図２
2014143083.tif 000002
【特許請求の範囲】
【請求項１】
ケースと、
前記ケース内に収容された電極組立体と、
前記ケースと前記電極組立体との間に配置された少なくとも１枚の第１金属箔と、
前記ケースと前記第１金属箔との間に配置された少なくとも１枚の第２金属箔と、
前記第１金属箔と前記第２金属箔との間に配置された絶縁部材と、
前記第１金属箔と前記第２金属箔との間、前記第１金属箔同士の間、及び前記第２金属箔同士の間の少なくとも１つに配置された、吸熱反応を起こす物質と、
を備え、
前記電極組立体は、正極と、負極と、前記正極と前記負極との間に配置されたセパレータと、を備え、
前記第１金属箔が、前記正極及び前記負極の一方と電気的に接続され、
前記第２金属箔が、前記正極及び前記負極の他方と電気的に接続されており、
前記吸熱反応を起こす物質は、前記第１金属箔の融点及び前記第２金属箔の融点のうち低い方よりも低い温度で吸熱反応を起こす、蓄電装置。
【請求項２】
前記吸熱反応を起こす物質は、前記絶縁部材を構成する物質よりも単位体積当たりの吸熱量が大きい、請求項１記載の蓄電装置。
【請求項３】
前記吸熱反応を起こす物質は、前記絶縁部材により前記第１金属箔と前記第２金属箔との間に保持されている、請求項１又は２記載の蓄電装置。
【請求項４】
前記吸熱反応を起こす物質は、金属の炭酸水素塩である、請求項１〜３のいずれか一項に記載の蓄電装置。
【請求項５】
前記吸熱反応を起こす物質は、水素吸蔵合金である、請求項１〜３のいずれか一項に記載の蓄電装置。
【請求項６】
前記蓄電装置内における圧力に応じて動作する電流遮断装置をさらに備える、請求項１〜５のいずれか一項に記載の蓄電装置。
【請求項７】
前記蓄電装置が二次電池である、請求項１〜６のいずれか一項に記載の蓄電装置。
【発明の詳細な説明】
【技術分野】
【０００１】
本発明は、蓄電装置に関する。
【背景技術】
【０００２】
従来、正極と、負極を備えるとともに、正極端子に接続されたダミー正極、負極端子に接続されたダミー負極、及びダミー正極とダミー負極との間を絶縁する絶縁体を有するダミー積層体を正極及び負極の外側に備え、正極及び負極とダミー積層体との間に吸熱部が設けられた二次電池が知られている（例えば特許文献１参照）。この二次電池では、釘などの異物が刺さった際に、ダミー正極とダミー負極との間が異物を介して短絡される。これにより、ダミー正極とダミー負極との間で大電流が流れ、ダミー正極及びダミー負極で熱が発生する。発生した熱は、正極及び負極内に蓄熱することなく外部に放出される。このため、正極における正極活物質の結晶の崩壊が抑制され、リチウム二次電池における発熱が抑制、あるいは緩和される。
【先行技術文献】
【特許文献】
【０００３】
【特許文献１】特開２００９−８７６００号公報
【発明の概要】
【発明が解決しようとする課題】
【０００４】
上記二次電池では、吸熱部は正極及び負極と、ダミー積層体との間に設けられている。この構成では、ダミー正極及びダミー負極で発生する熱を吸熱部により十分に吸収することができず、熱によりダミー正極及びダミー負極が融解し、二次電池の発熱を十分に抑制できないおそれがある。
【０００５】
本発明は、発熱をより確実に抑制することができる蓄電装置を提供する。
【課題を解決するための手段】
【０００６】
本発明の一側面に係る蓄電装置は、ケースと、前記ケース内に収容された電極組立体と、前記ケースと前記電極組立体との間に配置された少なくとも１枚の第１金属箔と、前記ケースと前記第１金属箔との間に配置された少なくとも１枚の第２金属箔と、前記第１金属箔と前記第２金属箔との間に配置された絶縁部材と、前記第１金属箔と前記第２金属箔との間、前記第１金属箔同士の間、及び前記第２金属箔同士の間の少なくとも１つに配置された、吸熱反応を起こす物質と、を備え、前記電極組立体は、正極と、負極と、前記正極と前記負極との間に配置されたセパレータと、を備え、前記第１金属箔が、前記正極及び前記負極の一方と電気的に接続され、前記第２金属箔が、前記正極及び前記負極の他方と電気的に接続されており、前記吸熱反応を起こす物質は、前記第１金属箔の融点及び前記第２金属箔の融点のうち低い方よりも低い温度で吸熱反応を起こす。
【０００７】
この蓄電装置では、第１金属箔が正極及び負極の一方と接続され、第２金属箔が正極及び負極の他方と接続されている。吸熱反応を起こす物質が、第１金属箔と第２金属箔との間、第１金属箔同士の間、及び第２金属箔同士の間の少なくとも１つに配置されている。したがって、第１金属箔と第２金属箔とが短絡されることにより第１金属箔と第２金属箔との間で大電流が流れた場合に、第１金属箔又は第２金属箔で発生した熱が、吸熱反応を起こす物質によって効率よく吸収される。吸熱反応を起こす物質は、第１金属箔の融点及び第２金属箔の融点のうち低い方よりも低い温度で吸熱反応を起こすので、第１金属箔及び第２金属箔が熱により融解することを防止することができる。蓄電装置の発熱をより確実に抑制することができる。
【０００８】
前記吸熱反応を起こす物質は、前記絶縁部材を構成する物質よりも単位体積当たりの吸熱量が大きくてもよい。
【０００９】
この場合、絶縁部材を単独で配置した場合の絶縁部材の吸熱量に等しい吸熱量を確保するために必要な吸熱反応を起こす物質の体積が、上記の絶縁部材の体積よりも小さくなる。したがって、容積が限られた蓄電装置内において、電極組立体のために使用できる容積を確保しやすくなる。
【００１０】
前記吸熱反応を起こす物質は、前記絶縁部材により前記第１金属箔と前記第２金属箔との間に保持されていてもよい。
【００１１】
この場合、吸熱反応を起こす物質が、第１金属箔及び第２金属箔の両方からの熱を効率良く吸収することができる。
【００１２】
前記吸熱反応を起こす物質は、金属の炭酸水素塩であってもよい。
【００１３】
前記吸熱反応を起こす物質は、水素吸蔵合金であってもよい。
【００１４】
前記蓄電装置内における圧力に応じて動作する電流遮断装置をさらに備えていてもよい。
【００１５】
この場合、例えば吸熱反応による気体の発生に伴う蓄電装置内の圧力の上昇により、電流遮断装置の動作が促進される。したがって、第１金属箔と第２金属箔との間での短絡の発生時に電流遮断装置が動作しやすくなり、蓄電装置の安全性が向上される。
【００１６】
前記蓄電装置が二次電池であってもよい。
【発明の効果】
【００１７】
本発明によれば、発熱をより確実に抑制することができる蓄電装置が提供され得る。
【図面の簡単な説明】
【００１８】
【図１】一実施形態に係る蓄電装置を模式的に示す断面図である。
【図２】図１のＩＩ−ＩＩ線に沿った断面図である。
【図３】変形例に係る蓄電装置を模式的に示す図である。
【図４】別の変形例に係る蓄電装置を模式的に示す図である。
【図５】別の変形例に係る蓄電装置を模式的に示す図である。
【発明を実施するための形態】
【００１９】
以下、添付図面を参照しながら本発明の実施形態が詳細に説明される。図面の説明において、同一又は同等の要素には同一符号が用いられ、重複する説明は省略される。
【００２０】
図１は、一実施形態に係る蓄電装置を模式的に示す断面図である。図２は、図１のＩＩ−ＩＩ線に沿った断面図である。図１及び図２に示される蓄電装置としての二次電池１００は、例えばリチウムイオン二次電池等の非水電解質二次電池である。
【００２１】
二次電池１００は、ケース１０と、ケース１０内に収容された電極組立体２０とを備える。ケース１０は例えばアルミニウム等の金属からなってもよい。電極組立体２０は、正極３０と、負極４０と、正極３０と負極４０との間に配置されたセパレータ５０とを備える。正極３０、負極４０は、例えばシート状である。セパレータ５０は、例えば袋状であるが、シート状であってもよい。袋状のセパレータ５０内には、例えば正極３０が収容される。複数の正極３０及び複数の負極４０が、セパレータ５０を介して交互に積層されてもよい。ケース１０内には電解液６０が充填され得る。電解液６０としては、例えば有機溶媒系又は非水系の電解液等が挙げられる。
【００２２】
正極３０は、金属箔３０ｂと、金属箔３０ｂの両面に設けられた正極活物質層３０ｃとを備え得る。金属箔３０ｂは例えばアルミニウム箔である。正極活物質層３０ｃは、正極活物質とバインダとを含んでもよい。正極活物質としては、例えば複合酸化物、金属リチウム、硫黄等が挙げられる。複合酸化物は、マンガン、ニッケル、コバルト及びアルミニウムの少なくとも１つとリチウムとを含む。
【００２３】
正極３０は、縁に形成されたタブ３０ａを有してもよい。タブ３０ａには、正極活物質が担持されていない。正極３０は、タブ３０ａを介して導電部材３２に接続され得る。導電部材３２は、正極端子３４に接続され得る。正極端子３４は、絶縁リング３６を介してケース１０に取り付けられてもよい。
【００２４】
導電部材３２には、電流遮断装置３８が設けられ得る。電流遮断装置３８は、二次電池１００の内部の気体の圧力が所定値以上になった場合に、導電部材３２による正極３０と正極端子３４との間の電流が遮断する。このような電流遮断装置３８を設けずに、導電部材３２を単一の部材としてもよい。
【００２５】
負極４０は、金属箔４０ｂと、金属箔４０ｂの両面に設けられた負極活物質層４０ｃとを備え得る。金属箔４０ｂは例えば銅箔である。負極活物質層４０ｃは、負極活物質とバインダとを含んでもよい。負極活物質としては、例えば黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素等が挙げられる。
【００２６】
負極４０は、縁に形成されたタブ４０ａを有してもよい。タブ４０ａには、負極活物質が担持されていない。負極４０は、タブ４０ａを介して導電部材４２に接続され得る。導電部材４２は、負極端子４４に接続され得る。負極端子４４は、絶縁リング４６を介してケース１０に取り付けられてもよい。
【００２７】
セパレータ５０としては、ポリエチレン（ＰＥ）、ポリプロピレン（ＰＰ）等のポリオレフィン系樹脂からなる多孔質フィルム、ポリプロピレン、ポリエチレンテレフタレート（ＰＥＴ）、メチルセルロース等からなる織布又は不織布等が例示される。
【００２８】
ケース１０と電極組立体２０との間には、複数の第１金属箔１４ａ〜１４ｃが配置される。第１金属箔１４ａ〜１４ｃは、ケース１０側から、この順に積層されている。第１金属箔１４ａ〜１４ｃは、本実施形態では複数の金属箔を積層してなるが、第１金属箔は少なくとも１枚あればよい。第１金属箔１４ａ〜１４ｃには、活物質層が設けられていない。第１金属箔１４ａ〜１４ｃの厚みは、負極４０の金属箔４０ｂの厚みよりも厚くてもよい。第１金属箔１４ａ〜１４ｃの剛性は、金属箔４０ｂの剛性よりも高くてもよい。
【００２９】
ケース１０と第１金属箔１４ａ〜１４ｃとの間には、第２金属箔１６ａ〜１６ｃが配置される。第２金属箔１６ａ〜１６ｃは、ケース１０側から、この順に積層されている。第２金属箔１６ａ〜１６ｃは、本実施形態では複数の金属箔を積層してなるが、第２金属箔の枚数は少なくとも１枚あればよい。第２金属箔１６ａ〜１６ｃには、活物質層が設けられていない。第２金属箔１６ａ〜１６ｃの厚みは、正極３０の金属箔３０ｂの厚みよりも厚くてもよい。第２金属箔１６ａ〜１６ｃの剛性は、金属箔３０ｂの剛性よりも高くてもよい。
【００３０】
第２金属箔１６ａとケース１０との間には、例えばシート状のセパレータ５２が配置される。セパレータ５２により、第２金属箔１６ａ〜１６ｃとケース１０との間は、電気的に絶縁されている。セパレータ５２の材料は、例えばセパレータ５０と同様のものとすることができる。
【００３１】
第１金属箔１４ａ〜１４ｃは、正極３０及び負極４０の一方と電気的に接続される。第２金属箔１６ａ〜１６ｃは、正極３０及び負極４０の他方と電気的に接続される。本実施形態では、第１金属箔１４ａ〜１４ｃが負極４０と電気的に接続され、第２金属箔１６ａ〜１６ｃが正極３０と電気的に接続される。この場合、例えば、第１金属箔１４ａ〜１４ｃは銅からなり、第２金属箔１６ａ〜１６ｃはアルミニウムからなる。
【００３２】
第１金属箔１４ａ〜１４ｃは、縁に形成されたタブ１４ｄを有してもよい。タブ１４ｄは、負極４０のタブ４０ａに接続され得る。タブ１４ｄの厚みは、第１金属箔１４ａ〜１４ｃにおける他の部分の厚みに比べて薄くてもよい。タブ１４ｄはタブ４０ａと重なるように配置され得る。第２金属箔１６ａ〜１６ｃは、縁に形成されたタブ１６ｄを有してもよい。タブ１６ｄは、正極３０のタブ３０ａに接続され得る。タブ１６ｄの厚みは、第２金属箔１６ａ〜１６ｃにおける他の部分の厚みに比べて薄くてもよい。タブ１６ｄはタブ３０ａと重なるように配置され得る。
【００３３】
第１金属箔１４ａと第２金属箔１６ｃとの間には、吸熱反応を起こす物質５４が配置されている。物質５４は、例えば袋状の梱包体５６に収容されている。梱包体５６は、第１金属箔１４ａ〜１４ｃと第２金属箔１６ａ〜１６ｃとを絶縁する絶縁部材として機能する。梱包体５６の材料は、例えば、セパレータ５０と同様のものとすることができる。物質５４は、第１金属箔１４ａ〜１４ｃの融点及び第２金属箔１６ａ〜１６ｃの融点のうち低い方よりも低い温度で吸熱反応を起こす。物質５４は、セパレータ５０及び梱包体５６の融点以下の温度で吸熱反応を起こしてもよい。この場合には、温度上昇による電極組立体２０内における、正極３０と負極４０との間の意図しない短絡を抑制することができる。物質５４が吸熱反応を起こす温度は、例えば１２０℃以下であってもよく、１００℃以下であってもよく、８０℃以下であってもよい。
【００３４】
吸熱反応を起こす物質５４の一例は、炭酸水素ナトリウムである。炭酸水素ナトリウムは、加熱により、以下の式（１）に示される吸熱反応を起こす。
２ＮａＨＣＯ３→Ｎａ２ＣＯ３＋ＣＯ２＋Ｈ２Ｏ  ・・・（１）
【００３５】
炭酸水素ナトリウムは、例えば６５℃程度の温度で、式（１）の分解反応を起こす。したがって、炭酸水素ナトリウムは、例えばアルミニウムからなる第２金属箔１６ａ〜１６ｃの融点である６６０℃よりも低い温度で吸熱反応を起こす。式（１）の反応で生じる二酸化炭素ＣＯ２は、二次電池１００内の圧力を上昇させ、電流遮断装置３８の動作を促進する。
【００３６】
炭酸水素ナトリウムは、絶縁部材としての梱包体５６を構成する物質よりも、単位体積当たりの吸熱量が大きくてもよい。例えば、梱包体５６の材料としてポリエチレンが用いられ得る。炭酸水素ナトリウム及びポリエチレンの吸熱量を表１に示す。
【表１】
2014143083.tif 000003
【００３７】
表１に示される通り、炭酸水素ナトリウムの単位体積当たりの吸熱量は、ポリエチレンの単位体積当たりの吸熱量より大きい。なお、表１に示される炭酸水素ナトリウムの比重は、塊の状態でのものである。粉末状態での炭酸水素ナトリウムの見かけ上の比重は、表１に示される数値よりも若干小さい。また、ポリエチレンには、低密度ポリエチレンや高密度ポリエチレンが含まれる。ポリエチレンの比重は、ポリエチレンの種類によって異なるが、概ね、表１に示される数値の範囲内の値である。
【００３８】
その他、吸熱反応を起こす物質５４としては、金属の炭酸水素塩が用いられ得る。金属の炭酸水素塩には、例えばアルカリ金属の炭酸水素塩及びアルカリ土類金属の炭酸水素塩がある。より具体的な例としては、炭酸水素カルシウムなどがある。
【００３９】
吸熱反応を起こす物質５４の別の例としては、水素吸蔵合金がある。例えば、２価の水素吸蔵合金ＭＨｘは、水素Ｈ２を吸蔵し、侵入型固溶体を形成する。このときの反応式は、以下の式（２）の通りである。
【数１】
2014143083.tif 000004
【００４０】
逆に、水素Ｈ２を吸蔵した水素吸蔵合金が水素を放出する時、すなわち水素吸蔵合金が予め水素を吸蔵した状態で温度が上昇した場合は、上記式（２）の右辺から左辺に向かう反応が起こる。したがって、ΔＨｈｙｄ分の熱が吸収される。
【００４１】
なお、水素吸蔵合金は、式（２）の反応が可逆的に起きる組成とされている。水素吸蔵合金は、ニッケル水素電池の負極に最も多く用いられている。水素吸蔵合金は、可逆的に水素を吸蔵・放出できるため、二次電池の負極として用いられる。水素吸蔵合金は、例えばＭｍＮｉ５をベースとした組成とされる。Ｍｍは、ミッシュメタルと称される、希土類元素の合金である。
【００４２】
式（２）の反応を可逆的に起こす水素吸蔵合金の組成は、特定の組成に限られている。吸熱反応を起こす物質に用いられる水素吸蔵合金としては、水素吸蔵によって膨張する従来公知の水素吸蔵合金材料がある。この水素吸蔵合金材料としては、以下の例に限定されるものではないが、具体的には、ミッシュメタル（Ｍｍ）、ニッケル（Ｎｉ）、コバルト（Ｃｏ）、アルミニウム（Ａｌ）、マンガン（Ｍｎ）、パラジウム（Ｐｄ）、チタン（Ｔｉ）、ジルコニウム（Ｚｒ）、ニオブ（Ｎｂ）、鉄（Ｆｅ）、マグネシウム（Ｍｇ）、カルシウム（Ｃａ）等を含む合金を例示することができ、ミッシュメタル系合金を好適に用いることができる。ミッシュメタル系合金の具体例を挙げると、ＭｍとＮｉ、Ｃｏ、Ａｌ、Ｍｎ等を含む合金（例えば、ＭｍＮｉ３．７９Ｃｏ０．６Ｍｎ０．５６Ａｌ０．０５）、ランタン（Ｌａ）リッチのミッシュメタル（Ｌｍ）とＮｉ、Ｃｏ、Ａｌ等を含む合金（例えば、ＬｍＮｉ２．５Ｃｏ２．４Ａｌ０．１）を特に好適に用いることができる。水素吸蔵合金は、単一の組成を有していてもよいし、複数の異なる組成を有する水素吸蔵合金が混合され又は組み合わせられていてもよい。
【００４３】
なお、物質５４と、物質５４を収容する梱包体５６とが配置される位置は、第１金属箔１４ａと第２金属箔１６ｃとの間に限定されない。物質５４及び梱包体５６は、第１金属箔１４ａ〜１４ｃ同士の間に配置されていてもよいし、第２金属箔１６ａ〜１６ｃ同士の間に配置されていてもよい。物質５４及び梱包体５６は、第１金属箔１４ａと第２金属箔１６ｃとの間、第１金属箔１４ａ〜１４ｃ同士の間、及び第２金属箔１６ａ〜１６ｃ同士の間の、少なくとも１つに配置されていればよい。
【００４４】
図３に示される例では、物質５４及び梱包体５６は、第１金属箔１４ａと第１金属箔１４ｂとの間に配置されている。図４に示される例では、物質５４及び梱包体５６は、第２金属箔１６ｂと第２金属箔１６ｃとの間に配置されている。なお、第１金属箔１４ａ〜１４ｃと第２金属箔１６ａ〜１６ｃとは、電気的に絶縁されている。このため、図３及び図４に示される例では、第１金属箔１４ａと第２金属箔１６ｃとの間に、シート状のセパレータ５２が配置されている。
【００４５】
物質５４は、梱包体５６に収容された態様以外の態様で配置されていてもよい。例えば、物質５４は、図５に示されるように、ポリエチレンなどの熱可塑性樹脂からなる絶縁部材５８に、物質５４が分散した態様で配置されていてもよい。
【００４６】
二次電池１００では、第１金属箔１４ａ〜１４ｃが負極４０と接続され、第２金属箔１６ａ〜１６ｃが正極３０と接続されている。吸熱反応を起こす物質５４が、第１金属箔１４ａ〜１４ｃと第２金属箔１６ａ〜１６ｃとの間、第１金属箔１４ａ〜１４ｃ同士の間、及び第２金属箔１６ａ〜１６ｃ同士の間の少なくとも１つに配置されている。したがって、第１金属箔１４ａ〜１４ｃと第２金属箔１６ａ〜１６ｃとが短絡されることにより第１金属箔１４ａ〜１４ｃと第２金属箔１６ａ〜１６ｃとの間で大電流が流れた場合に、第１金属箔１４ａ〜１４ｃ又は第２金属箔１６ａ〜１６ｃで発生した熱が、物質５４によって効率よく吸収される。物質５４は、第１金属箔１４ａ〜１４ｃの融点及び第２金属箔１６ａ〜１６ｃの融点のうち低い方、例えばアルミニウムからなる第２金属箔１６ａ〜１６ｃの融点よりも低い温度で吸熱反応を起こすので、第１金属箔１４ａ〜１４ｃ及び第２金属箔１６ａ〜１６ｃが熱により融解することを防止することができる。二次電池１００の発熱をより確実に防止することができる。
【００４７】
物質５４が、梱包体５６を構成する物質よりも単位体積当たりの吸熱量が大きい場合には、梱包体５６を構成する物質を単独で配置した場合の吸熱量に等しい吸熱量を確保するために必要な物質５４の体積が、上記の梱包体５６を構成する物質の体積よりも小さくなる。したがって、容積が限られた二次電池１００内において、電極組立体２０のために使用できる容積を確保しやすくなる。
【００４８】
物質５４が第１金属箔１４ａと第２金属箔１６ｃとの間に配置されている場合には、物質５４が第１金属箔１４ａ〜１４ｃ及び第２金属箔１６ａ〜１６ｃの両方からの熱を効率良く吸収することができる。
【００４９】
二次電池１００が、二次電池１００内における圧力に応じて動作する電流遮断装置３８を備えている場合、例えば吸熱反応による二酸化炭素などの気体の発生に伴う二次電池１００内の圧力の上昇により、電流遮断装置３８の動作が促進される。したがって、第１金属箔１４ａ〜１４ｃと第２金属箔１６ａ〜１６ｃとの間での短絡の発生時に電流遮断装置３８が動作しやすくなり、二次電池１００の安全性が向上される。
【００５０】
さらに、本実施形態では、電極組立体２０と第１金属箔１４ａ〜１４ｃとが接触又は近接して配置されているため、電極組立体２０の正極３０及び負極４０で発生した熱が第１金属箔１４ａ〜１４ｃへ伝導されやすい。したがって、正極３０及び負極４０で発生した熱が電極組立体２０の外部へ効率良く逃がされる。
【００５１】
以上、本発明の好適な実施形態について詳細に説明されたが、本発明は上記実施形態に限定されない。
【００５２】
例えば、第１金属箔１４ａ〜１４ｃが正極３０と電気的に接続され、第２金属箔１６ａ〜１６ｃが負極４０と電気的に接続されてもよい。この場合、第１金属箔１４ａ〜１４ｃは、負極４０と電気的に絶縁される。
【００５３】
積層型の電極組立体２０に代えて巻回型の電極組立体が用いられてもよい。巻回型の電極組立体は、帯状の正極３０、負極４０及びセパレータ５０を軸線の周りに巻回することによって作製される。
【００５４】
蓄電装置として、二次電池１００の他に、例えば電気二重層キャパシタ等が挙げられる。
【００５５】
例えば二次電池１００等の蓄電装置は、車両に搭載されてもよい。車両としては、例えば、電気自動車、ハイブリッド自動車、プラグインハイブリッド自動車、ハイブリッド鉄道車両、電気車椅子、電動アシスト自転車、電動二輪車等が挙げられる。
【符号の説明】
【００５６】
１０…ケース、２０…電極組立体、１４ａ〜１４ｃ…第１金属箔、１６ａ〜１６ｃ…第２金属箔、３０…正極、３２…導電部材、３８…電流遮断装置、４０…負極、５０…セパレータ、５４…吸熱反応を起こす物質、５６…梱包体（絶縁部材）、５８…絶縁部材、１００…二次電池（蓄電装置）。
【図１】
2014143083.tif 000005
【図２】
2014143083.tif 000006
【図３】
2014143083.tif 000007
【図４】
2014143083.tif 000008
【図５】
2014143083.tif 000009